(57)【要約】【課題】購入量の変化に容易に対応することができ、運搬時に両手が塞がることがなく、片手でもバランスよく運搬しやすいバッグを提供する。【解決手段】把持部４を備えた第１の袋体１０と、把持部６を備え、第１の袋体より容積が大きい第２の袋体２０とで構成され、第２の袋体が、第１の袋体に展開可能に装着されているバッグ１。通常は、第１の袋体に購入品を収容して持ち運び、第１の袋体で賄うことができなければ、第２の袋体に購入品を収容して持ち運ぶことで購入量の変化に容易に対応することができる。この際、第２の袋体が、第１の袋体に展開可能に装着されているため、必要に応じて第２の袋体を展開して用いることができ、常に大きなバッグを持ち運ぶという煩わしさを回避することができる。第１の袋体の底部に袋状の収納部３を開閉可能に設け、第２の袋体を収納部に折り畳んで収納し、収納部を開けて第２の袋体を展開可能とすることができる。【選択図】図１
2010042125.tif 000002
【特許請求の範囲】
【請求項１】
把持部を備えた第１の袋体と、
把持部を備え、前記第１の袋体より容積が大きい第２の袋体とで構成され、
該第２の袋体が、前記第１の袋体に展開可能に装着されていることを特徴とするバッグ。
【請求項２】
前記第１の袋体の底部に袋状の収納部が開閉可能に設けられ、
前記第２の袋体が該収納部に折り畳まれた状態で収納され、
前記収納部の底部と前記第２の袋体の底部とが互いに固着され、
前記収納部を開けて前記第２の袋体を展開可能であることを特徴とする請求項１に記載のバッグ。
【請求項３】
前記第２の袋体の底部の中央部近傍と前記収納部の底部の中央部近傍とが互いに固着されていることを特徴とする請求項２に記載のバッグ。
【請求項４】
前記第１の袋体と前記第２の袋体とは互いに相似形状で、かつ同一材質からなることを特徴とする請求項１、２又は３に記載のバッグ。
【発明の詳細な説明】
【技術分野】
【０００１】
本発明は、バッグに関し、特に、スーパーマーケットなどにおける買物に用いられるバッグに関する。
【背景技術】
【０００２】
従来、スーパーマーケットなどでは、買物客が購入した商品を収納し、持ち帰るための合成樹脂製の袋（いわゆるレジ袋）を通常無料で配布している。このレジ袋は、使用後破棄されるので、資源の有効活用や地球温暖化防止等の観点から好ましくない。そこで、近年、スーパーマーケットなどでは、買物客に買物袋の持参を呼び掛け、レジ袋の使用量を減らそうとする傾向にある。そのような状況下、買物客は、スーパーマーケットなどに行く際、購入量に見合う容積の買物袋を持参し、購入した物品をその袋に入れて持ち帰ることが多くなってきた。
【０００３】
しかし、買物客が購入量に見合う買物袋を持参した場合でも、購入する予定のない物品を購入することがあり、購入後の物品が多過ぎるため、持参した買物袋では賄えないこともあった。
【０００４】
そこで、上記の点に鑑み、特許文献１には、買物袋の中に予備の買物袋を挿設し、購入物品が当初の予定より多い場合には、予備の買物袋を取り出し、二つの買物袋として利用可能なバッグが提案されている。
【０００５】
また、特許文献２には、一つのバッグでスーツキャリアやスポーツバッグの機能を兼ね備え、購入物品が多い場合には、当該バッグがスーツキャリアからスポーツバッグに変化し、容積を大きくすることができるバッグが提案されている。
【０００６】
【特許文献１】特開２００７−２０９７１７号公報
【特許文献２】特開平５−１３０９１０号公報
【発明の開示】
【発明が解決しようとする課題】
【０００７】
しかし、上記特許文献１に記載のバッグは、当初の買物袋と予備の買物袋の２層構造となっており、購入品を二つのバッグに分けて入れる必要があり、持ち帰る際に両手が塞がってしまうという問題があった。一方、二つのバッグを片手で持った場合には、収容物の重心との関係でバランスが悪くなり、持ち運び難くなるという問題もあった。
【０００８】
また、上記特許文献２に記載のバッグは、スーツキャリアとスポーツバッグとを兼用することができるものの、買物に利用する場合を考慮するとスポーツバッグの一形態として利用することができるに過ぎず、購入量の変化に対応することができないという問題があった。
【０００９】
そこで、本発明は、上記従来のバッグにおける問題点に鑑みてなされたものであり、購入量の変化に容易に対応することができるとともに、運搬時に両手が塞がることがなく、片手でもバランスよく運搬しやすいことなどの利点を有するバッグを提供することを目的とする。
【課題を解決するための手段】
【００１０】
上記目的を達成するため、本発明は、バッグであって、把持部を備えた第１の袋体と、把持部を備え、前記第１の袋体より容積が大きい第２の袋体とで構成され、該第２の袋体が、前記第１の袋体に展開可能に装着されていることを特徴とする。
【００１１】
そして、本発明にかかるバッグによれば、通常は、第１の袋体に購入品を収容して持ち運び、第１の袋体で賄うことができなければ、第１の袋体より容積が大きい第２の袋体に購入品を収容して持ち運ぶことができるため、購入量の変化に容易に対応することができる。この際、第２の袋体が、第１の袋体に展開可能に装着されているため、必要に応じて第２の袋体を展開して用いることができ、常に大きなバッグを持ち運ぶという煩わしさを回避することができる。さらに、展開した第２の袋体の中に第１の袋体を入れた状態で持ち運ぶことができるため、バッグの運搬時に両手が塞がることがなく、片手でもバランスよく運搬することができる。
【００１２】
上記バッグにおいて、前記第１の袋体の底部に袋状の収納部が開閉可能に設けられ、前記第２の袋体が該収納部に折り畳まれた状態で収納され、前記収納部の底部と前記第２の袋体の底部とが互いに固着され、前記収納部を開けて前記第２の袋体を展開可能とすることができる。
【００１３】
この構成により、通常は、第１の袋体に購入品を収容して持ち運ぶが、その際、袋体の底部に位置する第２の袋体がクッションの役割を果たし、卵等の衝撃に弱い収容物を破損させずに持ち運ぶことができる。また、第２の袋体を利用する場合には、収納部を開けて展開させることで、迅速に対応することができる。さらに、第１の袋体に購入品を入れている途中で第２の袋体を利用すべきであることに気付いた場合でも、第１の袋体に収容物を入れた状態で、収納部を開けて第２の袋体を展開させることができるため、迅速に第２の袋体を使用可能な状態に移行させることができる。
【００１４】
上記バッグにおいて、前記第２の袋体の底部の中央部近傍と前記収納部の底部の中央部近傍とを互いに固着させることができる。これにより、第１の袋体が第２の袋体に収容されても第１の袋体の重心がずれることがなく、バッグ全体のバランスがよく、持ち運びが容易となる。また、第１の袋体が第２の袋体に収容された状態で、第１の袋体の開口部が第２の袋体の開口部と同じ方向を向くため、第１の袋体に収容された収容物を容易に取り出すこともできる。
【００１５】
上記バッグにおいて、前記第１の袋体と前記第２の袋体とを互いに相似形状で、かつ同一材質で形成することができる。これによって、第１の袋体に収容された収容物により袋体の表面に凸凹ができても、第２の袋体の第１の袋体と接している箇所では、第２の袋体の胴部が第１の袋体の胴部の凸凹に追従しやすく、第１の袋体に収容された収容物の重心を維持したまま第１の袋体を第２の袋体に収容することができるため、バランスよくバッグを運搬することができる。これに加え、両袋体を相似形状で、同一材質で形成するため、製造が容易で製造コストの低減にも繋がる。
【発明の効果】
【００１６】
以上のように、本発明によれば、購入量の変化に容易に対応することができ、バッグの運搬時に両手が塞がることがなく、片手でもバランスよく運搬しやすいことなどの利点を有するバッグを提供することができる。
【発明を実施するための最良の形態】
【００１７】
次に、本発明の実施の形態について図面を参照しながら説明する。
【００１８】
図１は、本発明にかかるバッグの一実施の形態を示し、このバッグ１は、通常の使用状態を示すものであって、同図には、第１の袋体１０のみが描かれている。
【００１９】
第１の袋体１０は、全体的に布、合成樹脂等からなり、胴部２と、収納部３と、把持部４とで構成される。胴部２は、上部が開口する袋状に形成され、胴部２の開口部近傍に一対の把持部４が相対向して着設され、胴部２の底部には収納部３が備えられる。
【００２０】
収納部３は、図２に示す第２の袋体２０を収納するために設けられ、図１（ａ）に示すように胴部２の底部全面を覆うように袋状に設けられる。収納部３の内部には、第２の袋体２０が折り畳まれて収容され、収納部３を開閉するためのファスナー５が装着される。収納部３の底部は、第１の袋体１０の底部と共通の生地で構成することができる。尚、収納部３の容積は、第２の袋体２０を収納することができる程度であれば特に限定されない。
【００２１】
図２に示すように、第２の袋体２０は、全体的に布、合成樹脂等からなり、第１の袋体１０より容積が大きい相似形に形成され、第１の袋体１０と同じ材料からなる。この第２の袋体２０は、下部が開口する袋状に形成された胴部７と、胴部７の開口部近傍に相対向して着設された一対の把持部４とで構成され、第２の袋体２０の底部の中央部近傍と収納部３の底部の中央部近傍とが互いに固着される。
【００２２】
次に、上記構成を有するバッグ１の使用方法について、図面を参照しながら説明する。
【００２３】
通常は、図１に示すように、第１の袋体１０の収納部３に第２の袋体２０を収納した状態でバッグ１を持ち運び、スーパーマーケットなどで買物を行い、第１の袋体１０の胴部２に購入品を収容して持ち帰る。
【００２４】
購入品をバッグ１に収容する際に、第１の袋体１０で賄うことができないことを認識した場合には、第１の袋体１０の収納部３をファスナー５によって開き、第２の袋体２０を取り出して展開させる。次に、第２の袋体２０を裏返すことで、図３に示すように、第２の袋体２０の胴部７の中に第１の袋体１０全体を収容すると、第１の袋体１０より容積が大きい第２の袋体２０に購入品を収容して持ち運ぶことができ、購入量の変化に容易に対応することができる。
【００２５】
このように、通常は、容積の小さい第１の袋体１０を使用し、必要に応じて第２の袋体２０を用いることができ、常に大きなバッグを持ち運ぶという煩わしさを回避することができる。また、通常は、第２の袋体２０が、第１の袋体１０の収納部３に収納されているため、第２の袋体２０が収納された収納部３がクッションの役割を果たし、卵等の衝撃に弱い収容物を破損させずに持ち運ぶことができる。さらに、展開した第２の袋体２０の中に第１の袋体１０を入れた状態で持ち運ぶことができるため、バッグ１の運搬時に両手が塞がることがなく、片手でもバランスよく運搬することができる。
【００２６】
次に、図１に示す第１の袋体１０の収納部３に第２の袋体２０を収納した状態で、第１の袋体１０の胴部２に購入品を収容している途中に、第２の袋体２０を利用すべきであることに気付いた場合の動作について説明する。この動作は、買物が終了してバッグ１に購入品を収容している途中に第１の袋体１０で賄うことができないと気付いた場合や、一旦買物が終了して第１の袋体１０の胴部２に購入品を収容したものの、さらに買物をする必要があることに気付いた場合等に必要となる。
【００２７】
図４（ａ）に示すように、テーブル３０にバッグ１を載置し、胴部２に購入品の一部を収容した第１の袋体１０の収納部３をファスナー５を用いて開き、第２の袋体２０を展開させる。次に、図４（ｂ）に示すように、把持部４を介して第１の袋体１０を持ち上げつつ、把持部６を介して第２の袋体２０の胴部７を開口させながら胴部７を裏返し、第１の袋体１０を下ろすと、第１の袋体１０が第２の袋体２０の底部に位置することになる。そして、第２の袋体２０を引き上げると、第２の袋体２０に第１の袋体１０を収容することができるとともに、第１の袋体１０に収容しきれなかった購入品を第２の袋体２０の余剰空間に収容することができ、第１の袋体１０に収容物を入れたまま、迅速に第２の袋体２０を使用可能な状態に移行させることができる。
【００２８】
バッグ１による収容物の運搬が終了した際には、バッグ１から収容物を取り出し、第２の袋体２０の把持部６を把持しながら第１の袋体１０を引き出し、第２の袋体２０を収納部３に収納して、図１に示すような初期状態に戻す。
【００２９】
尚、上記実施形態においては、第１の袋体１０の底部に袋状の収納部３を開閉可能に設け、第２の袋体２０を収納部３に折り畳まれた状態で収納する場合について説明したが、第２の袋体２０は、必ずしも収納部３に収納されている必要はなく、例えば、第２の袋体２０を折り畳んだ状態で係止手段等を介して容易に展開しないように第１の袋体１０に装着し、必要なときに第２の袋体２０を展開することができるように構成することもできる。
【００３０】
また、第２の袋体２０の底部の中央部近傍と第１の袋体１０の収納部の底部の中央部近傍とを互いに固着したが、両底部の中央部近傍同士以外の場所を互いに固着することもできる。
【００３１】
さらに、第１の袋体１０と第２の袋体２０とが互いに相似形状で、同一材質からなるようにしたが、必ずしも、第１の袋体１０と第２の袋体２０とを相似形状とする必要はない。また、両袋体１０、２０を異なる種類の材料で形成することもできる。
【００３２】
さらに、把持部４、６を各々胴部２、７の開口部近傍に着設したが、胴部２、７の開口部近傍に穴部を穿設して把持部としてもよい。
【図面の簡単な説明】
【００３３】
【図１】本発明にかかるバッグの通常の使用状態を示す概略図であって、（ａ）は正面図、（ｂ）は側面図、（ｃ）は上面図である。
【図２】図１に示すバッグの第２の袋体を第１の袋体の収納部から引き出した状態を示す展開図である。
【図３】図１に示すバッグの使用方法を説明するための概略正面図である。
【図４】図１に示すバッグの使用方法を説明するための概略斜視図である。
【符号の説明】
【００３４】
１  バッグ
２  胴部
３  収納部
４  把持部
５  ファスナー
６  把持部
７  胴部
１０  第１の袋体
２０  第２の袋体
３０  テーブル
【図１】
2010042125.tif 000003
【図２】
2010042125.tif 000004
【図３】
2010042125.tif 000005
【図４】
2010042125.tif 000006